(57)【要約】【課題】コンテンツ（放送番組における映像および音声信号の構成状態）の情報量に応じた録画モードによる録画を適切に行うことが可能な録画装置を提供する。【解決手段】このＤＶＤレコーダ１００（録画装置）は、映像信号および音声信号のうちの少なくとも音声信号を含む放送信号を受信する受信部４１と、受信部４１が受信した放送信号を、所定の圧縮率で記録を行う通常モード（通常画質録画モード）と、通常モードの圧縮率よりも高い圧縮率で記録を行う高圧縮率モード（低画質録画モード）とで記録可能なディスク記録読取部５５と、放送信号が音声信号のみを含む場合に、高圧縮率モードで放送信号を記録する制御を行う制御部５１とを備えている。【選択図】図２
2009033275.tif 000002
【特許請求の範囲】
【請求項１】
映像信号および音声信号のうちの少なくとも音声信号を含む放送信号を受信する受信部と、
前記受信部が受信した前記放送信号を、所定の圧縮率で記録を行う通常モードと、前記通常モードの圧縮率よりも高い圧縮率で記録を行う高圧縮率モードとで記録可能な記録部と、
前記放送信号が前記音声信号のみを含む場合に、前記高圧縮率モードで前記放送信号を記録する制御を行う制御部とを備えた、録画装置。
【請求項２】
前記制御部は、前記映像信号の時間的な変化を解析することにより、前記映像信号が動画像データであるか実質的な静止画像データの状態であるかを認識する制御を行うように構成されており、
前記制御部は、前記受信部が受信した前記放送信号が少なくとも実質的な静止画像データのみから構成されていると認識した場合には、前記高圧縮率モードで前記記録部に前記放送信号を記録する制御を行うように構成されている、請求項１に記載の録画装置。
【請求項３】
前記制御部が前記映像信号の時間的な変化を解析する際に、前記制御部は、所定の時間における第１の画像データに対する、前記所定の時間から所定の時間が経過したときの第２の画像データの変化率が所定値以下である場合に、前記映像信号が実質的な静止画像データのみから構成されていると認識する制御を行うように構成されている、請求項２に記載の録画装置。
【請求項４】
前記受信部が受信した前記放送信号における前記映像信号と前記音声信号との構成状態を解析する信号解析部をさらに備え、
前記制御部は、前記信号解析部の解析結果を参照することにより、前記記録部に前記放送信号を記録する際に前記高圧縮率モードで記録するかまたは前記通常モードで記録するかを決定する制御を行うように構成されている、請求項１〜３のいずれか１項に記載の録画装置。
【請求項５】
前記記録部が前記高圧縮率モードで前記放送信号を記録している状態において、前記受信部が受信した前記放送信号が少なくとも前記音声信号のみまたは前記映像信号のうちの実質的な静止画像データのみのいずれか一方を含んだ状態から、前記音声信号と前記映像信号のうちの動画像データとの両方を含んだ状態に変化したと認識した場合には、前記制御部は、前記記録部に前記通常モードで前記放送信号を記録する制御を行うように構成されている、請求項１〜４のいずれか１項に記載の録画装置。
【発明の詳細な説明】
【技術分野】
【０００１】
この発明は、録画装置に関し、特に、放送信号を受信する受信部を備えた録画装置に関する。
【背景技術】
【０００２】
従来、放送信号を受信する受信部を備えた録画装置などが知られている（たとえば、特許文献１〜３参照）。
【０００３】
上記特許文献１には、アナログチューナが受信した映像および音声信号をデジタル形式で圧縮符号化する制御部を備えた符号化制御装置が開示されている。この特許文献１に記載の符号化制御装置では、制御部は、アナログチューナの受信状況に応じて、映像および音声信号を圧縮符号化する際の符号化パラメータを適宜設定する制御を行うように構成されている。すなわち、映像および音声信号の受信状況が良好な場合は通常の解像度に対応した符号化処理を行うとともに、受信状況が低下した場合は低解像度に対応した符号化処理を行うことが可能に構成されている。
【０００４】
上記特許文献２には、アナログチューナが受信したテレビ放送波の電波強度を検知するとともに、電波強度の検知結果に基づいて記録媒体への録画モードを決定する制御手段と、記録媒体への録画装置とを備えた映像記録装置が開示されている。この特許文献２に記載の映像記録装置では、制御部は録画装置に対して、テレビ放送波の受信状況が良好な場合は高画質録画モードで録画を行うとともに、受信状況が低下した場合は低画質録画モードで録画を行うように制御することが可能に構成されている。
【０００５】
上記特許文献３には、放送番組の時間長と、記録媒体の記録容量とを認識することにより、１つの放送番組が記録媒体に過不足なく録画されるように制御を行う制御部を備えたデジタル録画装置およびデジタル録画方法が開示されている。この特許文献３に記載のデジタル録画装置では、制御部は、録画中の記録媒体の残量の推移に伴い、所定のタイミングで高画質記録モードから低画質記録モードに記録モードを切り換えることが可能に構成されている。
【０００６】
【特許文献１】特開２００３−３４８５８２号公報
【特許文献２】特開２００４−３２０８０６号公報
【特許文献３】特開平８−６５６１６号公報
【発明の開示】
【発明が解決しようとする課題】
【０００７】
しかしながら、上記特許文献１による符号化制御装置では、制御部は、符号化処理における解像度の決定をアナログチューナの受信状況（電波強度）に基づいて判断しているため、受信状況が常時良好な環境下では、常に高い解像度に対応した符号化処理が行われる。したがって、受信状況が良好であるにも関わらず情報量が少ない映像および音声信号（たとえば静止画放送のみの場合や、文字放送あるいは音声放送のみの場合など）についても高い解像度での符号化処理が行われる。このため、映像および音声信号の情報量に応じた解像度による符号化処理（動画像データの圧縮率の大小設定）を適切に行うことができないという問題点がある。
【０００８】
また、上記特許文献２による映像記録装置では、制御手段は、記録媒体への録画における画質モードの決定をアナログチューナの受信状況（電波強度）に基づいて判断しているため、受信状況が常時良好な環境下では、常に高画質録画モードでの録画が行われる。したがって、受信状況が良好であるにも関わらず情報量が少ない映像および音声信号（たとえば静止画放送のみの場合や、文字放送あるいは音声放送のみの場合など）についても高画質録画モードでの録画が行われる。このため、映像および音声信号の情報量に応じた録画モード（動画像データの圧縮率の大小設定）での録画を適切に行うことができないという問題点がある。
【０００９】
また、上記特許文献３によるデジタル録画装置およびデジタル録画方法では、制御部は、記録媒体への録画における画質モードの決定を、放送番組の時間長と記録媒体の記録容量（残量）との兼ね合いに基づいて判断しているため、高画質録画モードで録画されるべき内容の放送番組が、記録容量が少ないことを理由に低画質録画モードで録画される場合があると考えられる。また、低画質録画モードで記録されてもよい内容の放送番組が、記録容量が充分あるために高画質録画モードで録画され得る場合も考えられる。したがって、情報量が少ない放送番組（たとえば静止画放送のみの場合や、文字放送あるいは音声放送のみの場合など）についても高画質録画モードで録画されてしまう。このため、放送番組の情報量に応じた録画モード（動画像データの圧縮率の大小設定）での録画を適切に行うことができないという問題点がある。
【００１０】
この発明は、上記のような課題を解決するためになされたものであり、この発明の１つの目的は、コンテンツ（放送番組における映像および音声信号の構成状態）の情報量に応じた録画モードによる録画を適切に行うことが可能な録画装置を提供することである。
【課題を解決するための手段および発明の効果】
【００１１】
この発明の一の局面による録画装置は、映像信号および音声信号のうちの少なくとも音声信号を含む放送信号を受信する受信部と、受信部が受信した放送信号を、所定の圧縮率で記録を行う通常モードと、通常モードの圧縮率よりも高い圧縮率で記録を行う高圧縮率モードとで記録可能な記録部と、放送信号が音声信号のみを含む場合に、高圧縮率モードで放送信号を記録する制御を行う制御部とを備える。
【００１２】
この発明の一の局面による録画装置では、上記のように、放送信号が音声信号のみを含む場合に、高圧縮率モードで放送信号を記録する制御を行う制御部とを備えるように構成することによって、デジタル放送における音声番組（たとえばミュージックチャンネル）のように、映像信号が表示されない放送番組に対して、高圧縮率モードにより録画を行うことができる。これにより、受信部が、映像および音声信号からなる通常の放送番組や、音声信号のみが配信される音声番組など、デジタル放送における多様な形態の放送番組を受信する環境下において、コンテンツ（放送番組における映像および音声信号の構成状態）の情報量に応じた録画モード（通常モードまたは高圧縮率モード）での録画を適切に行うことができる。
【００１３】
上記一の局面による録画装置において、好ましくは、制御部は、映像信号の時間的な変化を解析することにより、映像信号が動画像データであるか実質的な静止画像データの状態であるかを認識する制御を行うように構成されており、制御部は、受信部が受信した放送信号が少なくとも実質的な静止画像データのみから構成されていると認識した場合には、高圧縮率モードで記録部に放送信号を記録する制御を行うように構成されている。このように構成すれば、録画対象となる映像信号についても、情報量の少ない映像信号（実質的な静止画像データの場合）については高圧縮率モードで録画を行うので、記録媒体（ＤＶＤなど）をより有効に使用することができる。
【００１４】
この場合、好ましくは、制御部が映像信号の時間的な変化を解析する際に、制御部は、所定の時間における第１の画像データに対する、所定の時間から所定の時間が経過したときの第２の画像データの変化率が所定値以下である場合に、映像信号が実質的な静止画像データのみから構成されていると認識する制御を行うように構成されている。このように構成すれば、受信中の映像信号が静止画像であるか否かの判断基準に、画像データの変化率を考慮するので、背景画面が完全な静止画像であるにも関わらず、画面の一部に字幕スーパーや臨時ニュースなどの情報が表示されているような場合でも、上記基準を満たせば実質的な静止画像であると認識される。これにより、より適切に、コンテンツ（映像の構成状態）の質に応じた画像データの録画モード（通常モードまたは高圧縮率モード）での録画を行うことができる。
【００１５】
上記一の局面による録画装置において、好ましくは、受信部が受信した放送信号における映像信号と音声信号との構成状態を解析する信号解析部をさらに備え、制御部は、信号解析部の解析結果を参照することにより、記録部に放送信号を記録する際に高圧縮率モードで記録するかまたは通常モードで記録するかを決定する制御を行うように構成されている。このように構成すれば、制御部は、時間の経過とともに変化するコンテンツ（映像および音声信号の構成状態）の質を、信号解析部からの情報に基づいて把握するために、画像データの録画モード（通常モードまたは高圧縮率モード）を決定する際に、より的確な判断を行うことができる。
【００１６】
上記一の局面による録画装置において、好ましくは、記録部が高圧縮率モードで放送信号を記録している状態において、受信部が受信した放送信号が少なくとも音声信号のみまたは映像信号のうちの実質的な静止画像データのみのいずれか一方を含んだ状態から、音声信号と映像信号のうちの動画像データとの両方を含んだ状態に変化したと認識した場合には、制御部は、記録部に通常モードで放送信号を記録する制御を行うように構成されている。このように構成すれば、制御部は、より情報量の多いコンテンツ（映像および音声信号の構成状態）についても再生時の画質を考慮したデータ量に圧縮した上で録画を行うので、ユーザは常に最適な環境下で、録画されたコンテンツの視聴を行うことができる。
【発明を実施するための最良の形態】
【００１７】
以下、本発明を具体化した実施形態を図面に基づいて説明する。
【００１８】
図１は、本発明の一実施形態によるＤＶＤレコーダが液晶ディスプレイに接続された状態を示した図である。図２は、図１に示した一実施形態によるＤＶＤレコーダの回路構成を示したブロック図である。まず、図１および図２を参照して、本発明の一実施形態によるＤＶＤレコーダ１００の構成について説明する。なお、本実施形態では、録画装置の一例であるＤＶＤレコーダに本発明を適用した場合について説明する。
【００１９】
本発明の一実施形態によるＤＶＤレコーダ１００は、図１および図２に示すように、装置本体１０とリモコン送信機２０とから構成されている。また、図２に示すように、装置本体１０の制御回路部３０は、チューナモジュール部４０と、ＤＶＤ記録部５０とから構成されている。そして、装置本体１０には、アンテナ６０および液晶ディスプレイ７０がそれぞれケーブルを介して接続されることによって、放送局から受信したデジタル放送番組などを視聴したり、所望の放送番組をＤＶＤ記録部５０を仕様してＤＶＤ（デジタル多用途ディスク）８０に録画することが可能なように構成されている。また、図１に示すように、リモコン送信機２０は、ユーザがＤＶＤレコーダ１００から離れた位置において装置本体１０を操作可能とするために設けられている。
【００２０】
また、図２に示すように、チューナモジュール部４０は、アンテナ６０によって受信された放送信号波から所望の放送局のアナログ形式の信号波を選局受信する受信部４１と、受信部４１で受信された信号波をデジタル形式の映像および音声信号（トランスポートストリーム：以下ＴＳと略す）信号に変換するＴＳ変換部４２と、ＴＳ変換部４２が生成したＴＳ信号を構成する映像信号および音声信号の組み合わせの状態を解析するＴＳ解析部４３と、ＣＰＵからなり、チューナモジュール部４０の制御を司る制御部４４と、制御上のデータ類を記憶するメモリ部４５とから構成されている。
【００２１】
また、図２に示すように、ＤＶＤ記録部５０は、ＣＰＵからなり、制御回路部３０およびＤＶＤ記録部５０の制御を司る制御部５１と、ＴＳ解析部４３を通過したＴＳ信号を液晶ディスプレイ７０およびスピーカ７１に出力するための映像音声出力部５２と、リモコン送信機２０からのリモコン信号を受光するとともに電気信号に変換して制御部５１に指令を与えるリモコン受光部５３と、制御上のデータ類（制御処理の回数なども含む）を記憶するメモリ部５４とから構成されている。また、メモリ部５４には、後述する制御部５１の制御フローに必要となる処理動作の回数を計数するカウンタ５５が格納されるように構成されている。
【００２２】
また、ＤＶＤ記録部５０は、上記構成に加えて、ＴＳ解析部４３を通過したＴＳ信号をＤＶＤ８０に録画するとともに、録画済みのＤＶＤ８０の映像音声信号を読み取る機能を有するディスク記録読取部５５と、録画時のディスク記録読取部５５への録画モード（映像音声データの圧縮率の大小設定）を切り換える録画モード切換部５６とから構成されている。ここで、録画モードとしては、通常の動画像データの圧縮率で記録を行う通常モード（通常画質録画モード）と、通常モードよりも高い圧縮率で記録を行う高圧縮率モード（低画質録画モード）とがある。なお、ＴＳ解析部４３およびディスク記録読取部５５は、それぞれ、本発明の「信号解析部」および「記録部」の一例である。
【００２３】
ここで、本実施形態では、ＤＶＤレコーダ１００は、受信された放送信号の状態を解析するＴＳ解析部４３の解析結果を、制御部４４の指令により一時的にメモリ部４５に記憶するとともに、ＤＶＤ８０への録画時には、チューナモジュール部４０の制御部４４と、ＤＶＤ記録部５０の制御部５１とが互いに通信を行うことにより、制御部５１が、放送信号の状態を把握することが可能なように構成されている。
【００２４】
また、本実施形態では、制御部５１は、制御部４４との通信に基づいて、放送信号が音声信号のみであると認識した場合には、録画モード切換部５６に対して通常の動画像データの圧縮率（通常モード）よりも高い圧縮率（高圧縮率モード）に設定を切り換える制御を行うとともに、ディスク記録読取部５５に対して、この状態（高圧縮率モード）で、放送信号（音声信号）をＤＶＤ８０に記録するような制御を行うように構成されている。
【００２５】
また、本実施形態では、制御部５１は、放送信号のうちの映像信号の時間的な変化を解析することにより、映像信号が動画像データであるか実質的な静止画像データの状態であるかを認識する制御を行うように構成されている。そして、制御部５１は、受信部４１が受信した放送信号が少なくとも実質的な静止画像データのみから構成されていると認識した場合には、ＤＶＤ記録部５０に対して高圧縮率モードによって放送信号を記録する制御を行うように構成されている。
【００２６】
また、本実施形態では、ＤＶＤ記録部５０が高圧縮率モードによって放送信号を記録している状態において、制御部５１と制御部４４との通信内容から、制御部５１が、受信部４１が受信した放送信号が音声信号のみの状態から、音声信号と動画像を有する映像信号との両方を含む状態に変化したと認識した場合には、制御部５１は、ＤＶＤ記録部５０に対して通常モードで放送信号を記録する制御を行うように構成されている。
【００２７】
また、ＤＶＤレコーダ１００では、放送信号は、チューナモジュール部４０の受信部４１、ＴＳ変換部４２およびＴＳ解析部４３を経て、ＤＶＤ記録部５０側の映像音声出力部５２から液晶ディスプレイ７０およびスピーカ７１に出力されるように構成されている。また、ＤＶＤ８０に録画済みの映像および音声信号（テレビ番組や映画など）を、ディスク記録読取部５５および制御部５１を経て映像音声出力部５２から液晶ディスプレイ７０およびスピーカ７１に出力することが可能に構成されている。
【００２８】
図３は、図１に示した本発明の一実施形態によるＤＶＤレコーダの制御動作を説明するための図である。次に、図２および図３を参照して、本実施形態によるＤＶＤレコーダ１００の制御部５１による制御動作について説明する。
【００２９】
図１に示すように、液晶ディスプレイ７０がＤＶＤレコーダ１００に接続された状態において、アンテナ６０からの放送信号がチューナモジュール部４０を経由して視聴可能な状態であると同時に、ＤＶＤ８０への録画が可能な状態である場合、ＤＶＤ記録部５０の制御部５１は、図３に示す制御フローを実行する。
【００３０】
制御部５１は、図３に示すように、まずステップＳ１で、後述する一連の制御処理回数を認識するためのカウンタ５５（メモリ部５４内に格納されている）を初期化（カウンタのｎ値＝０）する。そして、ステップＳ２では、所定時間（約１００ｍｓ）が経過したか否かが判断され、所定時間（約１００ｍｓ）が経過していない場合は、所定時間（約１００ｍｓ）が経過するまでこの判断を繰り返す。
【００３１】
そして、ステップＳ３では、制御部５１は、チューナモジュール部４０の制御部４４と制御部５１との通信データＰｎを取得する。これにより、制御部５１は、受信部４１が現在受信中である放送信号の状態（映像信号および音声信号の組み合わせの状態）を把握する。
【００３２】
また、ステップＳ４では、ステップＳ３における通信データＰｎの取得が初回（ｎ＝０）であるか否かが判断される。そして、ステップＳ３における通信データＰｎの取得が初回（ｎ＝０）であると判断された場合には、ステップＳ５に移行する。
【００３３】
ここで、本実施形態では、制御部５１は、ステップＳ５において、現在の放送信号が音声信号のみから構成されていると認識した場合には、ステップＳ６において、録画モード切換部５６に対して通常モード（通常画質録画モード）から高圧縮率モード（低画質録画モード）に設定を切り換える制御を行うとともに、ディスク記録読取部５５に対して、この状態（高圧縮率モード）で、放送信号（音声信号）をＤＶＤ８０に記録する制御を行う。
【００３４】
また、ステップＳ５において、制御部５１が、現在の放送信号が音声信号および映像信号の両方から構成されていると認識した場合には、ステップＳ７に移行する。
【００３５】
ここで、本実施形態では、制御部５１は、ステップＳ７において、現在の放送信号のうちの任意の時間Ｔ１における画面１フレーム分の画像データＰ１を、メモリ部５４に一時的に記憶する。そして、ステップＳ８では、所定時間Ｔ２（本実施形態では約３０秒）が経過したか否かが判断されるとともに、所定時間Ｔ２が経過していない場合は、所定時間Ｔ２が経過するまでこの判断が繰り返される。なお、画像データＰ１は、本発明の「第１の画像データ」の一例である。
【００３６】
また、本実施形態では、ステップＳ８において所定時間Ｔ２（約３０秒）が経過したと判断した場合は、制御部５１は、ステップＳ９において、所定時間Ｔ２後の画面１フレーム分の画像データＰ２を、メモリ部５４に一時的に記憶する。そして、ステップＳ１０では、制御部５１は、画像データＰ１に対する画像データＰ２の変化率が所定値以下（本実施形態では約２０％以下）であるか否かを判断する。なお、画像データＰ２は、本発明の「第２の画像データ」の一例である。
【００３７】
そして、ステップＳ１０において、画像データＰ１に対する画像データＰ２の変化率が所定値以下（約２０％以下）であると判断された場合には、制御部５１は、現在の放送信号が静止画像により構成されていると判断するともに、ステップＳ６に移行して、録画モード切換部５６に対して通常モード（通常画質録画モード）から高圧縮率モード（低画質録画モード）に設定を切り換える制御を行うとともに、ディスク記録読取部５５に対して、この状態（高圧縮率モード）で、放送信号（音声信号）をＤＶＤ８０に記録する制御を行う。
【００３８】
また、ステップＳ１０において、画像データＰ１に対する画像データＰ２の変化率が所定値以下（約２０％以下）でないと判断された場合には、制御部５１は、現在の放送信号が音声信号および映像信号の両方によって構成されていると判断するともに、ステップＳ１２に移行して、録画モード切換部５６に対して通常モード（通常画質録画モード）に設定を切り換える制御を行うとともに、ディスク記録読取部５５に対して、この状態（通常モード）で、放送信号（音声信号）をＤＶＤ８０に記録する制御を行う。
【００３９】
また、制御部５１は、ステップＳ１３において、ユーザのリモコン操作などにより録画動作が終了されたか否かを判断するととともに、録画動作が終了されたと判断した場合には、本制御フローを終了する。
【００４０】
また、制御部５１は、ステップＳ１３において、録画動作が継続されていると判断した場合には、ステップＳ１４において、カウンタ５５（メモリ部５４内に格納されている）を１つ更新（ｎ＝ｎ＋１）するとともに、ステップＳ２に戻る。
【００４１】
また、上述のステップＳ４において、先のステップＳ３における通信データの取得が初回でない（カウンタ５５のｎ値がｎ＞０のとき）と判断された場合には、制御部５１は、ステップＳ１５に移行する。
【００４２】
そして、ステップＳ１５では、制御部５１は、カウンタ５５のｎ値がｎ＝０（初回のみ）のときに取得していた通信データＰｎの内容と、カウンタのｎ値がｎ＝ｎ＋１（初回から１００ｍｓ毎に行われる通信の回数）のときに取得していた通信データＰｎ＋１の内容とを比較する。そして、ステップＳ１６では、通信データＰｎと通信データＰｎ＋１とに変化があるか否かを判断するとともに、通信データＰｎと通信データＰｎ＋１とに変化が生じていると判断した場合には、ステップＳ５に移行する。
【００４３】
また、ステップＳ１６において、通信データＰｎと通信データＰｎ＋１とに変化が生じていないと判断した場合には、ステップＳ２に戻る。つまり、制御部５１は、通信データＰｎと通信データＰｎ＋１とに変化が生じるまで、ステップＳ２、ステップＳ３、ステップＳ４、ステップＳ１５およびステップＳ１６の制御フローを繰り返すので、ＤＶＤ８０への録画モードも、通信データＰｎと通信データＰｎ＋１とに変化が生じるまで同じ録画モード（録画モード切換部５６による通常モード（通常画質録画モード）または高圧縮率モード（低画質録画モード）のいずれか一方の設定）が維持される。
【００４４】
ＤＶＤレコーダ１００では、制御部５１がこのような制御動作を繰り返すことにより、受信部４１が受信した放送信号の状態（映像信号および音声信号の組み合わせの状態）に応じてＤＶＤ８０への録画モードを切り換える。
【００４５】
本実施形態では、上記のように、放送信号が音声信号のみを含む場合に、高圧縮率モード（低画質録画モード）で放送信号を記録する制御を行う制御部５１を備えるように構成することによって、デジタル放送における音声番組（たとえばミュージックチャンネル）のように、映像信号が表示されない放送番組に対して、高圧縮率モードにより録画を行うことができる。これにより、受信部４１が、映像および音声信号からなる通常の放送番組や、音声信号のみが配信される音声番組など、デジタル放送における多様な形態の放送番組を受信する環境下において、コンテンツ（放送番組における映像および音声信号の構成状態）の情報量に応じた録画モード（通常モードまたは高圧縮率モード）での録画を適切に行うことができる。
【００４６】
また、本実施形態では、制御部５１を、映像信号の時間的な変化を解析することにより、映像信号が動画像データであるか実質的な静止画像データの状態であるかを認識する制御を行うように構成するとともに、制御部５１を、受信部４１が受信した放送信号が少なくとも実質的な静止画像データのみから構成されていると認識した場合には、高圧縮率モード（低画質録画モード）でＤＶＤ記録部５０に放送信号を記録する制御を行うように構成することによって、録画対象となる映像信号についても、情報量の少ない映像信号（実質的な静止画像データの場合）については高圧縮率モードで録画を行うので、ＤＶＤ８０をより有効に使用することができる。
【００４７】
また、本実施形態では、制御部５１が映像信号の時間的な変化を解析する際に、制御部５１を、任意の時間Ｔ１における画面１フレーム分の画像データＰ１に対する、時間Ｔ１から所定の時間Ｔ２が経過したときの画面１フレーム分の画像データＰ２の変化率が所定値以下（約２０％以下）である場合に、映像信号が実質的な静止画像データのみから構成されていると認識する制御を行うように構成することによって、受信中の映像信号が静止画像であるか否かの判断基準に、画像データの変化率を考慮するので、背景画面が完全な静止画像であるにも関わらず、画面の一部に字幕スーパーや臨時ニュースなどの情報が表示されているような場合でも、上記基準を満たせば実質的な静止画像であると認識される。これにより、より適切に、コンテンツ（映像の構成状態）の質に応じた画像データの録画モード（通常モードまたは高圧縮率モード）での録画を行うことができる。
【００４８】
また、本実施形態では、受信部４１が受信した放送信号における映像信号と音声信号との構成状態を解析するＴＳ解析部４３を備えるとともに、制御部５１を、ＴＳ解析部４３の解析結果を参照することにより、ＤＶＤ記録部５０に放送信号を記録する際に高圧縮率モードで記録するか、または通常モードで記録するかを決定する制御を行うように構成することによって、制御部５１は、時間の経過とともに変化するコンテンツ（映像および音声信号の構成状態）の質を、ＴＳ解析部４３からの情報に基づいて把握するために、画像データの録画モード（通常モードまたは高圧縮率モード）を決定する際に、より的確な判断を行うことができる。
【００４９】
また、本実施形態では、ＤＶＤ記録部５０が高圧縮率モードで放送信号を記録している状態において、受信部４１が受信した放送信号が音声信号のみまたは映像信号のうちの実質的な静止画像データのみのいずれか一方を含んだ状態から、音声信号と映像信号のうちの動画像データとの両方を含んだ状態に変化したと認識した場合には、制御部５１を、ＤＶＤ記録部５０に通常モードで放送信号を記録する制御を行うように構成することによって、制御部５１は、より情報量の多いコンテンツ（映像および音声信号の構成状態）についても再生時の画質を考慮したデータ量に圧縮した上でＤＶＤ８０に録画を行うので、ユーザは常に最適な環境下で、ＤＶＤ８０に録画されたコンテンツの視聴を行うことができる。
【００５０】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５１】
たとえば、上記実施形態では、録画装置の一例として、放送信号を受信する受信部を備えたＤＶＤレコーダに本発明を適用した例を示したが、本発明はこれに限らず、放送信号を受信する受信部を備えた録画装置であれは、ＨＤＤレコーダやビデオカセットレコーダなどの他の録画装置にも適用可能である。
【００５２】
また、上記実施形態では、受信された放送信号に対して、まず、音声信号に関する特徴を解析し、次に、映像信号に関する特徴を解析する順序で、最適な録画モード（通常モードまたは高圧縮率モード）を決定するような制御フローを構成した例について示したが、本発明はこれに限らず、受信された放送信号に対して、音声信号に関する特徴の解析と、映像信号に関する特徴の解析とを並列処理的に行うような制御フローを構成してもよい。さらに、まず、映像信号に関する特徴を解析し、次に、音声信号に関する特徴を解析する順序によって最適な録画モード（通常モードまたは高圧縮率モード）を決定するような制御フローを構成するようにしてもよい。
【００５３】
また、上記実施形態では、制御部５１を、任意の時間Ｔ１における画面１フレーム分の画像データＰ１と、時間Ｔ１から約３０秒後に受信される画面１フレーム分の画像データＰ２とを比較するように構成した例について示したが、本発明はこれに限らず、時間Ｔ１の画像データと、時間Ｔ１から約３０秒後以外の時間後（たとえば約６０秒後など）に受信される画像データとを比較するように構成してもよい。
【００５４】
また、上記実施形態では、制御部５１を、時間Ｔ１に受信された画像データＰ１に対する時間Ｔ２に受信された画像データＰ２の変化率が約２０％以下である場合に、現在受信中の放送信号が静止画像により構成されていると判断するようにした例について示したが、本発明はこれに限らず、制御部５１を、画像データＰ１に対する画像データＰ２の変化率が約２０％以外のパーセンテージ以下である場合に、現在受信中の放送信号が静止画像により構成されていると判断するように構成してもよい。
【００５５】
また、上記実施形態では、制御部５１を、時間Ｔ１に受信された画面１フレーム分の画像データＰ１に対する時間Ｔ２に受信された画面１フレーム分の画像データＰ２の変化率を分析する制御を行うように構成した例について示したが、本発明はこれに限らず、制御部５１を、画面１フレーム分以外の画像データ群（たとえば連続する数フレーム分の画像データ）について、時間Ｔ１に対する時間Ｔ２の変化率を分析する制御を行うように構成してもよい。
【図面の簡単な説明】
【００５６】
【図１】本発明の一実施形態によるＤＶＤレコーダが液晶ディスプレイに接続された状態を示した図である。
【図２】図１に示した一実施形態によるＤＶＤレコーダの回路構成を示したブロック図である。
【図３】図１に示した本発明の一実施形態によるＤＶＤレコーダの制御動作を説明するための図である。
【符号の説明】
【００５７】
４１  受信部
４３  ＴＳ解析部（信号解析部）
５１  制御部
５５  ディスク記録読取部（記録部）
【図１】
2009033275.tif 000003
【図２】
2009033275.tif 000004
【図３】
2009033275.tif 000005